(57)【要約】【課題】ビデオサーバーに収録した放送素材の映像信号を短時間に事前映像確認（プレビュー）する。【解決手段】映像信号記録再生装置とビデオサーバーと制御装置と制御端末とを有し、映像信号を映像ファイルデータとして収録し再生するビデオサーバーシステムにおいて、上記制御端末の画面表示されている上記収録スケジュールにマウスカーソルを合わせることで、該当する収録中の映像と収録済の映像との少なくとも一方を上記制御端末の画面に表示する機能を備え、映像中のシーンの切替えの位置を自動的に検出し記録するカット点について、複数のカット点の中からマウスカーソルの位置によって近傍の１つを抽出し、カット点の先頭から再生を開始する。【選択図】図１
2012060223.tif 000002
【特許請求の範囲】
【請求項１】
放送素材の映像信号をタイムコード単位で記録再生する映像信号記録再生装置と、放送素材をエンコードして映像ファイルデータとして収録し再生した映像ファイルデータをデコードして映像信号として出力するビデオサーバーと、収録スケジュールを登録し、管理するとともに、スケジュールに沿って該ビデオサーバーの収録と再生と上記映像信号記録再生装置とを制御する制御装置と制御端末とを有し、放送素材の映像信号を映像ファイルデータとして収録し再生するビデオサーバーシステムにおいて、
上記制御端末の画面表示されている上記収録スケジュールにマウスカーソルを合わせることで、該当する収録中の映像と収録済の映像との少なくとも一方を上記制御端末の画面に表示する機能を備え、映像中のシーンの切替えの位置を自動的に検出し記録するカット点について、複数のカット点の中からマウスカーソルの位置によって近傍の１つを抽出し、カット点の先頭から再生を開始することを特徴とする制御端末。
【発明の詳細な説明】
【技術分野】
【０００１】
本発明は、番組素材を、ビデオサーバーに映像ファイルデータ形式で記録した上でオンエアーする方式のいわゆるテープレスシステムに関するものである。
【背景技術】
【０００２】
テレビジョン放送業務では、従来からビデオサーバーを備えたノンリニアバンクシステムを用い、ＶＴＲ(Video Tape Recorder）等の記録装置に記録されている番組やＣＭ等の放送素材を、ビデオサーバーに記録（以下収録と省略）した上でオンエアーして放送している（特許文献１参照）。ビデオサーバーの入出力信号が非圧縮の映像信号から、圧縮された映像ファイルデータ形式となり、テープレスシステムと呼称されるようになった。
つまり、テープレスシステムでは、放送素材の映像信号をＭＰＥＧ（Moving  Picture  Experts  Group）等で動画圧縮（エンコード）し、映像ファイルデータとして収録し再生する。
【０００３】
従来のテープレスシステムの構成を示すブロック図を図２に示す。
外部の様々な回線から素材が伝送されるマトリクススイッチャの２と、運用者が収録業務を行うために操作する収録端末の５と、その操作内容からエンコーダの３を制御する収録コントローラの４とがある。収録端末の５にはGUI画面表示用の端末表示画面（ディスプレイ）の６と映像確認画面（ピクチャーモニタ）の７が付属している。
【０００４】
マトリクススイッチャの２は収録端末の４からの映像の切替の指示を受け、映像確認画面（ピクチャーモニタ）の７にその映像を出力する。エンコーダの３は収録コントローラの４からの制御でマトリクススイッチャの２から入力された映像を収録、圧縮してビデオサーバーの８に保存する。また収録開始・終了日時、タイトルなどの情報は情報管理サーバーの9に保存する。
【０００５】
収録端末の５には端末表示画面（ディスプレイ）の６と収録映像確認用の映像確認画面（ピクチャーモニタ）の７とが付属している。端末表示画面（ディスプレイ）の６に表示されている収録スケジュールの中で任意の収録中のスケジュールを選択すると、その収録中の映像が映像確認画面（ピクチャーモニタ）の７に表示される。これにより運用者は今どのような映像が収録されているのかを確認することができる。また収録済のスケジュールを選択した場合には、映像確認画面（ピクチャーモニタ）の７に収録済の映像が再生され、同様に映像を確認することができる。
【先行技術文献】
【特許文献】
【０００６】
【特許文献１】特開２００５ −２１０４９０号公報
【発明の概要】
【発明が解決しようとする課題】
【０００７】
本発明は、ビデオサーバーに収録した放送素材の映像信号を制御端末画面上で短時間に事前映像確認（プレビュー）することを目的とする。
【課題を解決するための手段】
【０００８】
本発明は、上記の目的を達成するために、放送素材の映像信号をタイムコード単位で記録再生する映像信号記録再生装置と、放送素材をエンコードして映像ファイルデータとして収録し再生した映像ファイルデータをデコードして映像信号として出力するビデオサーバーと、収録スケジュールを登録し、管理するとともに、スケジュールに沿って該ビデオサーバーの収録と再生と上記映像信号記録再生装置とを制御する制御装置と制御端末とを有し、放送素材の映像信号を映像ファイルデータとして収録し再生するテープレスシステムにおいて、上記制御端末の画面表示されている上記収録スケジュールにマウスカーソルを合わせることで、該当する収録中の映像と収録済の映像との少なくとも一方を上記制御端末の画面に表示する機能を備え、映像中のシーンの切替えの位置を自動的に検出し記録するカット点について、複数のカット点の中からマウスカーソルの位置によって近傍の１つを抽出し、カット点の先頭から再生を開始することを特徴とする制御端末である。
【発明の効果】
【０００９】
以上のように本発明によれば、ビデオサーバーに収録した放送素材の映像信号を制御端末画面上で短時間に事前映像確認（プレビュー）することができる。
【図面の簡単な説明】
【００１０】
【図１】本発明の１実施例のテープレスシステムの構成を示すブロック図
【図２】従来のテープレスシステムの構成を示すブロック図
【図３】収録端末に表示される収録スケジュール一覧表示画面の模式図
【図４】本発明の１実施例の収録中スケジュールのプレビュー機能の表示画面の模式図
【図５】本発明の１実施例の収録済スケジュールの帯表示にマウスカーソルを合わせたときのプレビュー機能の表示画面の模式図
【図６】本発明の１実施例の収録中素材にマウスカーソルをあわせたときの各装置動作の模式図
【図７】本発明の１実施例の収録済素材にマウスカーソルをあわせたときの各装置動作の模式図
【図８】本発明の１実施例のカット点の作成方法の模式図
【図９】本発明の１実施例の収録済の素材のプレビュー再生開始位置の模式図
【図１０】本発明の１実施例の収録中のスケジュールの収録前の映像表示と収録済の映像表示の模式図
【図１１】本発明の１実施例のプレビューの全画面表示機能の模式図
【図１２】本発明の１実施例の収録中の素材をプレビュー表示する際のフローチャート
【図１３】本発明の１実施例の収録済の素材をプレビュー表示する際のフローチャート
【発明を実施するための形態】
【実施例１】
【００１１】
まず本発明の１実施例のテープレスシステムの収録動作を本発明の１実施例のテープレスシステムの構成を示すブロック図の図１を用いて説明する。
【００１２】
本発明の１実施例のテープレスシステムの構成を示すブロック図の図１において、２はマトリクススイッチャ、３はエンコーダ、４は制御装置（収録コントローラ）、５は収録再生端末（登録／プレビュー端末）、６はGUI画面表示用の端末表示画面（ディスプレイ）、７は映像確認画面（ピクチャーモニタ）、８はビデオサーバー、９は情報管理サーバーである。
【００１３】
放送素材収録時はまず、他局からの放送素材の映像信号（High  Definition−Serial  Digital  Interface：ＨＤ−ＳＤＩ：ＳＤＩと省略）や映像信号記録再生装置（ＶＴＲ）からの映像信号（ＳＤＩ）は、マトリクススイッチャ２を経由して、エンコーダ３で映像ファイルデータに変換されビデオサーバー８に収録する。一定時間経過後、収録されている素材は時差再生（プレビュー）が可能となり、ビデオサーバー８から再生された映像ファイルデータはデコードされ映像信号（ＳＤＩ）として出力され、マトリックススイッチャ２を介して収録端末５に入力することで、GUI画面表示用の端末表示画面（ディスプレイ）６に表示することにより、事前映像確認（プレビュー）を行なう。
【００１４】
従来の構成を示す図２と比べ収録端末に付属していた映像確認画面（ピクチャーモニタ）７はなくなる。従来、マトリクススイッチャ２の映像は収録映像確認用のモニタに入力していたが、今回の構成ではマトリクススイッチャ２から収録端末５に映像（ＳＤＩ）を入力する。
【００１５】
図３は収録端末に表示される収録スケジュール一覧表示画面である。収録スケジュールが系統順に並び、収録する時間帯によって帯表示される。帯の左端は収録開始時刻、右端は収録終了時刻、長さは収録内容時間を表す。中のテキストは、回線名とタイトルである。また収録の状態により、収録済＝緑、収録中＝赤、待機中＝青で帯の色が変わる。また、NGとなった収録スケジュールは、帯表示ではなく、割当NGスケジュール一覧として一覧表示される。
【００１６】
図４は本発明であるプレビュー機能である。収録中のスケジュールの帯表示にマウスカーソルを合わせるとマトリクススイッチャから収録中の映像を呼び出し、ポップアップウィンドウが表示される。また収録開始・終了時間、回線名、タイトル、収録時間の情報を情報管理サーバーから呼び出し文字情報として表示される。さらに画面右下には「REC」の文字が赤文字で表示される。
【００１７】
図５は収録済のスケジュールの帯表示にマウスカーソルを合わせたときのものである。収録中と同様にポップアップウィンドウが表示される。ここで収録中のスケジュールと違うのは、ストレージサーバーから該当の素材を呼び出し、収録済の映像に打たれた複数のカット点の中から近傍のものを抽出、マウスカーソルを帯表示されている収録済のスケジュールに置いている間、その近傍のカット点の位置から再生を開始することである。また収録開始・終了時間、回線名、タイトル、カット点番号、再生時間／総収録時間の情報を情報管理サーバーから呼び出し文字情報として表示される。
【００１８】
図６は収録中の素材にマウスカーソルをあわせたときの各装置について模式的に表した図である。操作者が画面上の収録中のスケジュールにマウスカーソルを合わせると、マトリクススイッチャから該当の収録中の素材を呼び出し、端末画面上にポップアップが表示され、収録中の映像が表示される。
【００１９】
図７は収録済の素材にマウスカーソルをあわせたときの各装置について模式的に表した図である。操作者が画面上の収録済のスケジュールにマウスカーソルを合わせると、ストレージサーバーから該当の収録済の素材を呼び出し、端末画面上にポップアップが表示され、カット点に応じて、カット点の先頭から収録済の映像を再生して表示する。
【００２０】
図８はカット点の作成方法について示している。カット点の作成はエンコーダが映像の変化量によって自動的に生成する。全てのカット点情報（タイムコード）は情報管理サーバーに保存する。なおここでは映像の先頭点についてもカット点として扱う。
【００２１】
図９は収録済の素材について、マウスカーソルの位置によって抽出されるカット点が異なるため、プレビュー再生が開始される位置が異なる様子を示している。
【００２２】
図１０は収録中のスケジュールにおいて、現在時刻よりも前と後で処理が違う様子を表している。現在時刻よりもあとの部分にマウスカーソルをあわせると、マトリクススイッチャ２からの収録中の映像を表示するのに対し、現在時刻よりも前の部分にマウスカーソルをあわせると、ビデオサーバー８から収録された映像を呼び出し、近傍のカット点の先頭から追っかけ再生を行う。
【００２３】
図１１は全画面表示機能について示している。端末画面上の収録スケジュールをダブルクリックすると全画面表示を行う。ただし早送り・巻戻し・一時停止といった再生制御は行えない。全画面表示中にダブルクリックするとプレビューは解除される。
【００２４】
図１２は収録中の素材をプレビュー表示する際のフローチャートである。
図１２において、１１は開始で、１２は収録中のスケジュールにマウスカーソルが重なる、１４は情報管理サーバー９からマトリクススイッチャ２を制御、１５は収録中の映像をポップアップでプレビュー表示である。１６はマウスカーソルが外れたかまたは収録終了したか？の判断であり、１６でNoなら１７はプレビュー表示を続行となり１６に戻り、１６でYesなら１８はプレビュー表示を終了し、１９の終了となる。
【００２５】
図１３は収録済の素材をプレビュー表示する際のフローチャートである。図１２と同一の番号は図１２と同一の動作であり説明を省略する。
図１３において、２０はマウスカーソルの位置から近傍のカット点を抽出、２１はビデオサーバー８から該当の素材を呼び出す、２２は収録済映像をポップアップでカット点の先頭からプレビュー表示である。
【００２６】
つまり、本発明により、テープレスシステムの収録の制御端末に映像確認画面（ピクチャーモニタ）７が不要となり、設置場所の省スペース化やモニタ購入費用などの削減などに効果がある。
【符号の説明】
【００２７】
２：マトリクススイッチャ、３：エンコーダ、４：制御装置（収録コントローラ）、
５：収録再生端末（登録／プレビュー端末）、６：端末表示画面（ディスプレイ）、７：映像確認画面（ピクチャーモニタ）、８：ビデオサーバー、9：情報管理サーバー
【図１】
2012060223.tif 000003
【図２】
2012060223.tif 000004
【図３】
2012060223.tif 000005
【図４】
2012060223.tif 000006
【図５】
2012060223.tif 000007
【図６】
2012060223.tif 000008
【図７】
2012060223.tif 000009
【図８】
2012060223.tif 000010
【図９】
2012060223.tif 000011
【図１０】
2012060223.tif 000012
【図１１】
2012060223.tif 000013
【図１２】
2012060223.tif 000014
【図１３】
2012060223.tif 000015